(57)【要約】【課題】基板上において広い面積を専有することなく、容易にかつ確実に平板状ケーブルを接続することができるようにする。【解決手段】耳部を含む平板状ケーブルの先端部分が挿入される挿入凹部を備えるハウジングと、平板状ケーブルの導電線と電気的に接続する端子と、ハウジングに取付けられた補助金具と、開位置と閉位置との間で姿勢変化するケーブル抜止部材とを有し、ケーブル抜止部材は耳掛止部を備え、耳掛止部は、ケーブル抜止部材が開位置であるときには挿入凹部への平板状ケーブルの先端部分の挿入を可能とし、ケーブル抜止部材が閉位置であるときには耳部を掛止して、挿入凹部からの平板状ケーブルの先端部分の離脱を不能とし、コネクタは、平板状ケーブルの先端部分の挿入方向が基板に対して垂直となるような姿勢で基板に実装される。【選択図】図１
2014026765.tif 000002
【特許請求の範囲】
【請求項１】
（ａ）両側縁から突出する耳部を含む平板状ケーブルの先端部分が挿入される挿入凹部を備えるハウジングと、該ハウジングに装填され、前記平板状ケーブルの導電線と電気的に接続する端子と、前記ハウジングに取付けられた補助金具とを有し、前記平板状ケーブルを接続するコネクタであって、
（ｂ）前記補助金具に回転可能に取付けられ、開位置と閉位置との間で姿勢変化するケーブル抜止部材を更に有し、該ケーブル抜止部材は耳掛止部を備え、該耳掛止部は、前記ケーブル抜止部材が開位置であるときには前記挿入凹部への前記平板状ケーブルの先端部分の挿入を可能とし、前記ケーブル抜止部材が閉位置であるときには前記耳部を掛止して、前記挿入凹部からの前記平板状ケーブルの先端部分の離脱を不能とし、
（ｃ）前記コネクタは、前記平板状ケーブルの先端部分の挿入方向が基板に対して垂直となるような姿勢で前記基板に実装されることを特徴とするコネクタ。
【請求項２】
前記ハウジングは、前記挿入凹部を含む本体部と、該本体部の側部から外側に突出し、前記補助金具が取付けられる固定部とを備え、
前記側部には、前記挿入凹部と前記固定部及び側部間の側方空間部とを連通する側方スリットが形成され、
前記ケーブル抜止部材が開位置であるときには、前記耳掛止部が前記側方空間部の外に位置し、前記平板状ケーブルの耳部は、その外端が側方空間部内に突出した状態で側方スリットを通過可能であり、
前記ケーブル抜止部材が閉位置であるときには、前記耳掛止部が、前記側方空間部内に挿入され、前記挿入凹部内に先端部分が挿入された平板状ケーブルの耳部の側方空間部内に突出した部分を掛止する請求項１に記載のコネクタ。
【請求項３】
前記固定部は、連結部を介して前記側部に連結され、前記側方空間部は前記連結部の上側及び下側の上側方空間部及び下側方空間部から成り、
前記ケーブル抜止部材は、前記下側方空間部に挿入される脚部と、該脚部の先端に接続された軸部であって、前記補助金具に形成された開口に挿入され、回転可能に保持される軸部とを備え、
前記ケーブル抜止部材が閉位置であるときには、前記耳掛止部が、前記上側方空間部内に挿入される請求項２に記載のコネクタ。
【請求項４】
前記ハウジングの本体部は、前記挿入凹部及び側方スリットが開口する上端と、該上端の反対側に位置し、前記基板と対向する下端とを備え、前記固定部には、前記下端の側に開口する金具収容凹部が形成され、
前記補助金具は、基部と、該基部の下端から折曲がって側方へ向けて延出するテール部と、前記基部の上端から上方へ向けて延出する一対の固定腕部と、該固定腕部同士の間に形成された溝状の軸通過部と、該軸通過部の下端に連続して形成された前記開口とを備え、
前記ケーブル抜止部材の脚部が前記ハウジングの下側方空間部に挿入された後、前記補助金具が、前記下端の側から、前記金具収容凹部内に挿入されるように相対的に移動させられる際に、前記ケーブル抜止部材の軸部が前記軸通過部を通って前記開口に挿入される請求項３に記載のコネクタ。
【請求項５】
前記平板状ケーブルの耳部は導電層が形成された面を含み、
前記ケーブル抜止部材は金属から成り、
前記ケーブル抜止部材が閉位置であるときには、前記耳掛止部が前記耳部の前記面に当接し、前記軸部が前記開口の周縁の少なくとも一部に接触する請求項４に記載のコネクタ。
【発明の詳細な説明】
【技術分野】
【０００１】
本発明は、コネクタに関するものである。
【背景技術】
【０００２】
従来、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）等と称される可撓（とう）性を備える平板状ケーブルを接続するためにＦＰＣコネクタ、ＦＦＣコネクタ等のコネクタが使用されている（例えば、特許文献１参照。）。
【０００３】
図９は従来のコネクタを示す斜視図である。
【０００４】
図に示されるように、コネクタは、合成樹脂等の絶縁性材料から成るハウジング８１１と、金属等の導電性材料から成り、ハウジング８１１の凹部８１３内に配設された端子８５１とを有する。そして、前記凹部８１３の上方には、開閉可能なカバー部材８２１が配設されている。該カバー部材８２１は、基端に配設された回動軸８２３を介して、回動可能にハウジング８１１に取付けられている。また、前記カバー部材８２１の先端の左右両側には、下方に延出するピン８２２が、それぞれ、配設されている。そして、前記カバー部材８２１が開位置にある状態で、平板状ケーブル９０１が、ハウジング８１１の前面８１１ａ側から、前記凹部８１３に挿入される。
【０００５】
前記平板状ケーブル９０１は、フレキシブル基板９４１と、該フレキシブル基板９４１に形成された複数本の配線９５１とを備える長尺帯状の部材であり、先端部の上面には、補強板９３０が貼（てん）付されている。そして、該補強板９３０は、平板状ケーブル９０１の左右両側から突出する耳部９３１を備える。なお、該耳部９３１には、貫通孔（こう）９３２が形成されている。また、平板状ケーブル９０１の先端部の下面（補強板９３０と反対側の面）においては、配線９５１が露出している。
【０００６】
そして、平板状ケーブル９０１がハウジング８１１の凹部８１３の奥まで挿入されると、カバー部材８２１がオペレータの手指等によって操作されて閉位置にまで回動する。すると、カバー部材８２１のロック部８２７がハウジング８１１の図示されないロック部と係合してカバー部材８２１をロックする。これにより、平板状ケーブル９０１がカバー部材８２１によって上から加圧され、平板状ケーブル９０１の下面に露出する配線９５１が端子８５１と接触して導通するとともに、カバー部材８２１の姿勢が固定される。また、カバー部材８２１のピン８２２が耳部９３１に形成された貫通孔９３２に挿入されるので、平板状ケーブル９０１が外れることも防止される。
【先行技術文献】
【特許文献】
【０００７】
【特許文献１】特開２００５−５６６１８号公報
【発明の概要】
【発明が解決しようとする課題】
【０００８】
しかしながら、前記従来のコネクタにおいては、ハウジング８１１の前面８１１ａが図示されない基板に対して垂直になるように実装されるタイプ、すなわち、ライトアングルタイプであって、平板状ケーブル９０１が基板に対して平行な状態で凹部８１３に挿入されるようになっているので、基板上における実装面が広くなるだけでなく、平板状ケーブル９０１を凹部８１３に挿入するための作業スペースも実装面の周囲に用意する必要がある。そのため、近年では、電子機器の小型化及び高性能化に伴って基板上の各種部品の実装密度が増加しているにもかかわらず、基板上において広い面積を専有することとなってしまう。
【０００９】
本発明は、前記従来のコネクタの問題点を解決して、補助金具に回転可能に取付けられたカバー部材により、基板に垂直な方向に挿入された平板状ケーブルの耳部を掛止することによって、基板上において広い面積を専有することなく、容易にかつ確実に平板状ケーブルを接続することができる信頼性の高いコネクタを提供することを目的とする。
【課題を解決するための手段】
【００１０】
そのために、本発明のコネクタにおいては、両側縁から突出する耳部を含む平板状ケーブルの先端部分が挿入される挿入凹部を備えるハウジングと、該ハウジングに装填（てん）され、前記平板状ケーブルの導電線と電気的に接続する端子と、前記ハウジングに取付けられた補助金具とを有し、前記平板状ケーブルを接続するコネクタであって、前記補助金具に回転可能に取付けられ、開位置と閉位置との間で姿勢変化するケーブル抜止部材を更に有し、該ケーブル抜止部材は耳掛止部を備え、該耳掛止部は、前記ケーブル抜止部材が開位置であるときには前記挿入凹部への前記平板状ケーブルの先端部分の挿入を可能とし、前記ケーブル抜止部材が閉位置であるときには前記耳部を掛止して、前記挿入凹部からの前記平板状ケーブルの先端部分の離脱を不能とし、前記コネクタは、前記平板状ケーブルの先端部分の挿入方向が基板に対して垂直となるような姿勢で前記基板に実装される。
【００１１】
本発明の他のコネクタにおいては、さらに、前記ハウジングは、前記挿入凹部を含む本体部と、該本体部の側部から外側に突出し、前記補助金具が取付けられる固定部とを備え、前記側部には、前記挿入凹部と前記固定部及び側部間の側方空間部とを連通する側方スリットが形成され、前記ケーブル抜止部材が開位置であるときには、前記耳掛止部が前記側方空間部の外に位置し、前記平板状ケーブルの耳部は、その外端が側方空間部内に突出した状態で側方スリットを通過可能であり、前記ケーブル抜止部材が閉位置であるときには、前記耳掛止部が、前記側方空間部内に挿入され、前記挿入凹部内に先端部分が挿入された平板状ケーブルの耳部の側方空間部内に突出した部分を掛止する。
【００１２】
本発明の更に他のコネクタにおいては、さらに、前記固定部は、連結部を介して前記側部に連結され、前記側方空間部は前記連結部の上側及び下側の上側方空間部及び下側方空間部から成り、前記ケーブル抜止部材は、前記下側方空間部に挿入される脚部と、該脚部の先端に接続された軸部であって、前記補助金具に形成された開口に挿入され、回転可能に保持される軸部とを備え、前記ケーブル抜止部材が閉位置であるときには、前記耳掛止部が、前記上側方空間部内に挿入される。
【００１３】
本発明の更に他のコネクタにおいては、さらに、前記ハウジングの本体部は、前記挿入凹部及び側方スリットが開口する上端と、該上端の反対側に位置し、前記基板と対向する下端とを備え、前記固定部には、前記下端の側に開口する金具収容凹部が形成され、前記補助金具は、基部と、該基部の下端から折曲がって側方へ向けて延出するテール部と、前記基部の上端から上方へ向けて延出する一対の固定腕部と、該固定腕部同士の間に形成された溝状の軸通過部と、該軸通過部の下端に連続して形成された前記開口とを備え、前記ケーブル抜止部材の脚部が前記ハウジングの下側方空間部に挿入された後、前記補助金具が、前記下端の側から、前記金具収容凹部内に挿入されるように相対的に移動させられる際に、前記ケーブル抜止部材の軸部が前記軸通過部を通って前記開口に挿入される。
【００１４】
本発明の更に他のコネクタにおいては、さらに、前記平板状ケーブルの耳部は導電層が形成された面を含み、前記ケーブル抜止部材は金属から成り、前記ケーブル抜止部材が閉位置であるときには、前記耳掛止部が前記耳部の前記面に当接し、前記軸部が前記開口の周縁の少なくとも一部に接触する。
【発明の効果】
【００１５】
本発明によれば、コネクタは、補助金具に回転可能に取付けられたカバー部材によって、基板に垂直な方向に挿入された平板状ケーブルの耳部を掛止する。これにより、基板上において広い面積を専有することなく、容易にかつ確実に平板状ケーブルを接続することができ、信頼性を向上させることができる。
【図面の簡単な説明】
【００１６】
【図１】本発明の実施の形態におけるコネクタの斜視図でありカバー部材を閉じた状態を示す図である。
【図２】本発明の実施の形態におけるコネクタの斜視図でありカバー部材を開いた状態を示す図である。
【図３】本発明の実施の形態におけるコネクタの分解図である。
【図４】本発明の実施の形態におけるコネクタの組立工程を説明する図であって、（ａ）はカバー部材をハウジングに取付ける工程を示す図、（ｂ）は補助金具をハウジングに取付ける工程を示す図である。
【図５】本発明の実施の形態におけるコネクタにケーブルを挿入する直前の状態を示す図である。
【図６】本発明の実施の形態におけるコネクタにケーブルを挿入した状態を示す図である。
【図７】本発明の実施の形態におけるコネクタにケーブルを挿入した後にカバー部材を閉じた状態を示す図である。
【図８】本発明の実施の形態におけるコネクタの側断面図であって図７の要部側断面を示す図であり、（ａ）は端子を通る側断面図、（ｂ）はカバー部材の脚部及び掛止腕部を通る側断面図である。
【図９】従来のコネクタを示す斜視図である。
【発明を実施するための形態】
【００１７】
以下、本発明の実施の形態について図面を参照しながら詳細に説明する。
【００１８】
図１は本発明の実施の形態におけるコネクタの斜視図でありカバー部材を閉じた状態を示す図、図２は本発明の実施の形態におけるコネクタの斜視図でありカバー部材を開いた状態を示す図、図３は本発明の実施の形態におけるコネクタの分解図である。
【００１９】
図において、１は本実施の形態におけるコネクタとしてのケーブル接続用コネクタであり、図示されない回路基板等の基板に実装されて、フレキシブル回路基板、フレキシブルフラットケーブル等と称される後述される平板状ケーブル１０１を電気的に接続するために使用される。
【００２０】
なお、本実施の形態において、ケーブル接続用コネクタ１及びその他の部材の構成及び動作を説明するために使用される上、下、左、右、前、後等の方向を示す表現は、絶対的なものでなく相対的なものであり、ケーブル接続用コネクタ１及びその他の部材が図に示される姿勢である場合に適切であるが、ケーブル接続用コネクタ１及びその他の部材の姿勢が変化した場合には姿勢の変化に応じて変更して解釈されるべきものである。
【００２１】
前記ケーブル接続用コネクタ１は、いわゆるストレートタイプのものであり、基板に対して立設した状態、すなわち、平板状ケーブル１０１が挿入されるケーブル挿入端が上を向いた状態で実装されるものである。
【００２２】
前記ケーブル接続用コネクタ１は、合成樹脂等の絶縁性材料によって一体的に形成されたコネクタ本体としてのハウジング１１と、該ハウジング１１に装填された金属製の端子５１と、前記ハウジング１１に装填された金属製の補助金具８１と、該補助金具８１に回転可能に取付けられたケーブル抜止部材としての金属製のカバー部材２１とを有する。該カバー部材２１は、姿勢変化して、図１に示されるような第１位置としての閉位置、及び、図２に示されるような第２位置としての開位置になるように取付けられている。
【００２３】
そして、前記ハウジング１１は、扁（へん）平な略直方体状の本体部１２を有し、該本体部１２は、略長方形の平板状の第１部１４ａ、該第１部１４ａに対向する平板状の第２部１４ｂ、前記第１部１４ａ及び第２部１４ｂの幅方向両端を接続する左右の側部１１ｃ、並びに、前記第１部１４ａ、第２部１４ｂ及び側部１１ｃの間に形成され、上方から平板状ケーブル１０１の前端部を挿入するためにハウジング１１のケーブル挿入端としての上端１１ａに開口する凹部としての挿入凹部１３を有する。なお、平板状ケーブル１０１は、上から下に向けて、すなわち、下端１１ｂの方向に挿入される。前記挿入凹部１３は、上端１１ａから下端１１ｂまで貫通するように形成される。
【００２４】
前記第１部１４ａには、端子５１を収容して保持する第１端子保持凹部１６ａが複数並列に形成され、前記第２部１４ｂには、端子５１を収容して保持する第２端子保持凹部１６ｂが複数並列に形成されている。前記第１端子保持凹部１６ａと第２端子保持凹部１６ｂとは、互いに対向して上下方向に延在し、所定のピッチ、例えば、約０．２〔ｍｍ〕のピッチでハウジング１１の幅方向に並ぶように配列される。なお、前記第１端子保持凹部１６ａ及び第２端子保持凹部１６ｂを統合的に説明する場合には、端子保持凹部１６として説明する。
【００２５】
さらに、前記ハウジング１１は、両側の側部１１ｃから本体部１２の外側に突出する固定部１７を有する。該固定部１７は、連結部１７ｃを介して、本体部１２の側部１１ｃと連結されている。そして、前記固定部１７の下端には、補助金具８１が挿入されて固定される凹部である図示されない金具収容凹部が開口する。また、前記固定部１７と側部１１ｃとの間には、側方空間部としての上側方空間部１７ａ及び下側方空間部１７ｂが形成される。前記上側方空間部１７ａにおける側部１１ｃには、前記挿入凹部１３と連通する側方スリット１３ａが形成されている。該側方スリット１３ａは、上端１１ａから下方に向けて延在する細長い溝状の空間であり、後述される平板状ケーブル１０１の耳部１３１が挿入される。なお、前記ハウジング１１の下端１１ｂにおいては、第１部１４ａの両端から外側に突出するストッパ部１２ａが形成されている。
【００２６】
前記端子５１は、好ましくは、銅合金等の金属板に打抜き加工を施すことによって一体的に形成された部材であり、図３に示されるように、全体としてコ字状又はＵ字状の側面形状を備える。そして、前記端子５１は、本体部としての基部５３と、該基部５３の下端から側方へ向けて延出するはんだ付部としてのテール部５２と、前記基部５３の上端から上方へ向けて延出する一対の接触腕部としての腕部５４とを有する。各腕部５４の上端近傍には、互いに対向するように突出した接触部５４ａが形成されている。また、腕部５４同士の間は、平板状ケーブル１０１の先端部分が挿入される空間であって、上下方向に延在するケーブル挿入部５５が形成されている。
【００２７】
そして、前記端子５１は、下端１１ｂの側から上方に向けて、端子保持凹部１６に挿入されてハウジング１１に装填される。この場合、一方の腕部５４が第１端子保持凹部１６ａ内に収容され、他方の腕部５４が第２端子保持凹部１６ｂ内に収容される。この状態で、少なくとも接触部５４ａの先端は、端子保持凹部１６から突出して、挿入凹部１３内に位置する。また、テール部５２は、下端１１ｂより下方に突出した状態となり、前記下端１１ｂと対向する図示されない基板の表面に形成された接続パッドに、はんだ付等によって接続される。
【００２８】
なお、図３には、テール部５２が右側方へ向けて、すなわち、第１部１４ａの方向に向けて延出する端子５１のみが示されているが、該端子５１に隣接する端子５１は、テール部５２が左側方へ向けて、すなわち、第２部１４ｂの方向に向けて延出するような姿勢でハウジング１１に装填される。したがって、ハウジング１１の幅方向に並ぶように配列されて装填された端子５１のテール部５２は、隣接する端子５１毎に、交互に第１部１４ａ及び第２部１４ｂの側に位置することとなる。すなわち、平面視において、テール部５２は、千鳥状に配置される。
【００２９】
前記補助金具８１は、好ましくは、銅合金等の金属板に打抜き加工、曲げ加工等を施すことによって一体的に形成された部材であり、図３に示されるように、全体としてコ字状又はＵ字状の側面形状を備えるとともに、前後から観て略Ｌ字状の形状を備える。そして、前記補助金具８１は、本体部としての基部８３と、該基部８３の下端からほぼ９０度に折曲がって側方へ向けて延出するはんだ付部としてのテール部８２と、前記基部８３の上端から上方へ向けて延出する一対の固定腕部としての腕部８４とを有する。各腕部８４の上端近傍には、突出した固定用凸部８４ａが形成されている。また、腕部８４同士の間は、カバー部材２１の軸部２６が挿入されて通過する溝状の空間であって、上下方向に延在する軸通過部８５が形成され、さらに、該軸通過部８５の下端には、前記軸部２６を回転可能に保持する略円形の開口である軸受部８６が、連続して形成されている。なお、前記軸通過部８５は、幅が広く、上側に位置する幅広部８５ａと、幅が狭く、下側に位置する幅狭部８５ｂとを含んでいる。
【００３０】
そして、前記補助金具８１は、下端１１ｂの側から上方に向けて、固定部１７に形成された図示されない金具収容凹部に挿入されてハウジング１１に装填される。この場合、軸通過部８５から下方の部分は、固定部１７の下方に露出した状態となる。そして、テール部８２は、下端１１ｂと対向する図示されない基板の表面に形成された固定用パッドに、はんだ付等によって接続される。
【００３１】
前記カバー部材２１は、好ましくは、鋼、ステンレス鋼、アルミニウム合金等の金属板に打抜き加工、曲げ加工等を施すことによって一体的に形成された部材である。そして、前記カバー部材２１は、図３に示されるように、全体として矩（く）形の平板状の形状を備える本体部としての基部２３と、該基部２３の下端における幅方向両側縁からほぼ９０度に折曲がって第２部１４ｂの方向へ向けて延出する取付部としての脚部２２と、基部２３の上下中間近傍における幅方向両側縁から外側に延出するケーブル固定部２４とを備える。さらに、前記脚部２２の先端には、ほぼ９０度に折曲がって幅方向外側へ向けて延出する回転軸としての軸部２６が接続されている。なお、図に示される例において、軸部２６は、断面形状が略長方形乃至扁平な五角形となっている。また、前記ケーブル固定部２４の先端には、ほぼ９０度に折曲がって第２部１４ｂの方向へ向けて延出する耳掛止部としての掛止腕部２４ａが接続されている。
【００３２】
そして、前記カバー部材２１は、第１部１４ａの側から第２部１４ｂの方向へ向けて横に移動させられ、一対の掛止腕部２４ａが上側方空間部１７ａに挿入され、一対の脚部２２が下側方空間部１７ｂに挿入され、かつ、一対の軸部２６が補助金具８１の軸受部８６に回転可能に保持されるようにして、ハウジング１１に取付けられる。これにより、前記カバー部材２１は、図１に示される閉位置から、軸部２６が回転して、図２に示されるような開位置にまで姿勢変化可能となる。前記閉位置では、掛止腕部２４ａが上側方空間部１７ａにおいて側方スリット１３ａの外側を閉じるので、平板状ケーブル１０１の耳部１３１の側方スリット１３ａへの挿入が不可能となり、その結果、平板状ケーブル１０１のケーブル接続用コネクタ１への接続が不可能となる。一方、前記開位置では、掛止腕部２４ａが上側方空間部１７ａにおいて側方スリット１３ａの外側を開けるので、平板状ケーブル１０１の耳部１３１の側方スリット１３ａへの挿入が可能となり、その結果、平板状ケーブル１０１のケーブル接続用コネクタ１への接続が可能となる。なお、開位置におけるカバー部材２１の基部２３と、ハウジング１１の第１部１４ａとの傾斜角度は、脚部２２がストッパ部１２ａに当接することによって規制される。
【００３３】
次に、前記ケーブル接続用コネクタ１の組立工程について説明する。
【００３４】
図４は本発明の実施の形態におけるコネクタの組立工程を説明する図である。なお、図において、（ａ）はカバー部材をハウジングに取付ける工程を示す図、（ｂ）は補助金具をハウジングに取付ける工程を示す図である。
【００３５】
まず、ハウジング１１に端子５１を装填する。この場合、図３に示されるように、ハウジング１１の下端１１ｂの側から上方に向けて端子５１を相対的に移動させ、端子保持凹部１６に端子５１を挿入する。なお、ハウジング１１の幅方向に並ぶように配列された端子５１は、そのテール部５２が隣接する端子５１毎に、交互に第１部１４ａ及び第２部１４ｂの側に位置するような姿勢にして、端子保持凹部１６に挿入される。これにより、平面視において、テール部５２は、千鳥状に配置される。
【００３６】
続いて、ハウジング１１にカバー部材２１を取付ける。この場合、図４（ａ）に示されるように、基部２３がハウジング１１の第１部１４ａと平行で、掛止腕部２４ａ及び脚部２２がハウジング１１の方向を向くように、カバー部材２１の姿勢を制御する。そして、ハウジング１１の第１部１４ａの側から第２部１４ｂの方向へ向けて、矢印で示されるように、カバー部材２１を相対的に移動させ、一対の掛止腕部２４ａを上側方空間部１７ａに挿入し、一対の脚部２２を下側方空間部１７ｂに挿入する。
【００３７】
続いて、ハウジング１１に補助金具８１を取付ける。この場合、図４（ｂ）に示されるように、テール部８２及び基部８３がハウジング１１の下端１１ｂ及び側部１１ｃと平行で、腕部８４がハウジング１１の方向を向くように、補助金具８１の姿勢を制御する。そして、ハウジング１１の下端１１ｂの側から上方に向けて補助金具８１を相対的に移動させ、固定部１７に形成された金具収容凹部に腕部８４を挿入する。この際、カバー部材２１の軸部２６は、軸通過部８５に相対的に進入して該軸通過部８５を下方に向けて相対的に移動し、最終的に、軸受部８６内に到達する。これにより、ケーブル接続用コネクタ１の組立が完了する。
【００３８】
なお、軸通過部８５は、上端寄りの部分が幅広部８５ａで、下端寄りの部分、すなわち、軸受部８６に隣接する部分が幅狭部８５ｂとなっている。好ましくは、前記幅広部８５ａはカバー部材２１の軸部２６よりも幅広に形成され、前記幅狭部８５ｂはカバー部材２１の軸部２６よりも幅狭に形成されている。そのため、カバー部材２１の軸部２６を容易に幅広部８５ａに挿入させることができる。また、軸受部８６に隣接する幅狭部８５ｂがカバー部材２１の軸部２６よりも幅狭なので、軸受部８６に収納されたカバー部材２１の軸部２６が軸受部８６から抜出しにくくなっている。なお、ケーブル接続用コネクタ１の組立において、下方に向けて相対的に移動する軸部２６が幅狭部８５ｂを通過する際には、腕部８４等が弾性的に変形し、幅狭部８５ｂの間隔が軸部２６によって押広げられる。
【００３９】
次に、前記ケーブル接続用コネクタ１に平板状ケーブル１０１を接続する動作について説明する。
【００４０】
図５は本発明の実施の形態におけるコネクタにケーブルを挿入する直前の状態を示す図、図６は本発明の実施の形態におけるコネクタにケーブルを挿入した状態を示す図、図７は本発明の実施の形態におけるコネクタにケーブルを挿入した後にカバー部材を閉じた状態を示す図、図８は本発明の実施の形態におけるコネクタの側断面図であって図７の要部側断面を示す図である。なお、図８において、（ａ）は端子を通る側断面図、（ｂ）はカバー部材の脚部及び掛止腕部を通る側断面図である。
【００４１】
本実施の形態において、ケーブルとしての平板状ケーブル１０１は、例えば、フレキシブル回路基板、フレキシブルフラットケーブル等であるが、導電線１５１を備える平板状のケーブルであれば、いかなる種類のものであってもよい。そして、平板状ケーブル１０１は、図５に示されるように、細長い帯状の形状を備える。なお、図において、平板状ケーブル１０１は、その先端１０１ａから所定距離までの部分のみが描画されており、他の部分の描画は省略されている。また、平板状ケーブル１０１は、その途中でほぼ９０度曲げられた状態となっているが、必ずしも曲げられている必要はなく、例えば、直線的な状態となっていてもよい。
【００４２】
前記平板状ケーブル１０１は、絶縁性の薄板部材である図示されない基板部、及び、該基板部の一面又は両面に配設された複数本の導電線１５１を有する。該導電線１５１は、例えば、銅等の導電性金属から成る箔（はく）状の線状体であり、所定のピッチ、例えば、０．２〔ｍｍ〕程度で並列に配設される。なお、前記導電線１５１の本数及びピッチは、必要に応じて適宜変更することができる。そして、前記導電線１５１の上側は図示されない絶縁層によって覆われている。なお、平板状ケーブル１０１における先端１０１ａから所定の長さに亘（わた）る部分である先端部分では、前記絶縁層が除去され、導電線１５１の上面が露出している。
【００４３】
また、前記平板状ケーブル１０１における先端１０１ａの近傍、すなわち、先端部分の両側縁には、幅方向外側に向けて突出する耳部１３１が形成されている。そして、該耳部１３１の表面の少なくとも一部、すなわち、少なくとも後方側面１３１ａを含む面は、導電性金属から成る導電層が形成されている。該導電層は、平板状ケーブル１０１が備える図示されないグランドライン又は電源ラインに電気的に接続されている。
【００４４】
ここで、ケーブル接続用コネクタ１は、図示されない基板の表面に実装されているものとする。具体的には、端子５１のテール部５２が、下端１１ｂに対向する基板の面上に形成された接続パッドにはんだ付等によって接続され、かつ、補助金具８１のテール部８２が前記基板の面上に形成された固定用パッドにはんだ付によって接続されることにより、基板に対して立設した状態で実装されているものとする。なお、前記接続パッドは、基板の導電トレースに電気的に接続され、前記固定用パッドは、基板のグランドライン又は電源ラインに電気的に接続されているものとする。
【００４５】
ケーブル接続用コネクタ１に平板状ケーブル１０１を接続する際には、まず、図５に示されるように、カバー部材２１の姿勢を開位置とする。そして、先端１０１ａがハウジング１１の上端１１ａと対向し、かつ、該上端１１ａに開口する挿入凹部１３と平行になるように、平板状ケーブル１０１の姿勢を制御する。続いて、ハウジング１１の上端１１ａの方向に向けて平板状ケーブル１０１の先端部分を相対的に移動させ、該先端部分を上端１１ａに開口する挿入凹部１３に挿入する。
【００４６】
そして、平板状ケーブル１０１の先端部分が挿入凹部１３内を相対的に下降すると、耳部１３１がハウジング１１の側方スリット１３ａに進入し、かつ、耳部１３１の外端１３１ｂが上側方空間部１７ａに突出した状態となる。また、露出している導電線１５１が端子５１の腕部５４の上端近傍に形成された接触部５４ａと当接して摺（しゅう）動する。本実施の形態において、互いに対向する接触部５４ａ同士の間隔は、平板状ケーブル１０１の厚さと同等又はそれ以下の寸法に設定されている。そのため、挿入凹部１３に挿入される平板状ケーブル１０１の先端部分は、接触部５４ａから接触圧を受けつつ、挿入凹部１３内の奥に挿入される。すなわち、本実施の形態におけるケーブル接続用コネクタ１は、ｎｏｎ−ＺＩＦ（Ｚｅｒｏ  Ｉｎｓｅｒｔｉｏｎ  Ｆｏｒｃｅ）構造となっている。
【００４７】
続いて、平板状ケーブル１０１の先端１０１ａが挿入凹部１３内の奥にまで到達して平板状ケーブル１０１の挿入が完了すると、図６に示されるような状態となる。この場合、耳部１３１も側方スリット１３ａ内及び上側方空間部１７ａ内の奥、すなわち、下方にまで到達しているので、耳部１３１の後方側面１３１ａも、ハウジング１１の上端１１ａから十分下方に離間した位置に到達している。
【００４８】
続いて、図７に示されるように、カバー部材２１の姿勢を閉位置とする。この場合、側方スリット１３ａ内及び上側方空間部１７ａ内における耳部１３１は、十分に下方に位置しているので、上側方空間部１７ａ内における耳部１３１の後方側面１３１ａより上方には、掛止腕部２４ａが挿入可能な空間が存在する。したがって、カバー部材２１の姿勢を、図６に示されるような開位置から、図７に示されるような閉位置に変化させることができる。
【００４９】
このように、カバー部材２１の姿勢が閉位置となると、図８（ａ）に示されるように、平板状ケーブル１０１の先端部分は、端子５１のケーブル挿入部５５内に挿入され、互いに対向する接触部５４ａによって挟持された状態となり、平板状ケーブル１０１の表面に露出する導電線１５１と前記接触部５４ａとの導通状態が確実に維持される。したがって、平板状ケーブル１０１の各導電線１５１と対応する端子５１との導通状態が確実に維持される。
【００５０】
また、図８（ｂ）に示されるように、上側方空間部１７ａ内において、掛止腕部２４ａが耳部１３１の上側に位置して、耳部１３１の上方への変位を規制するので、平板状ケーブル１０１が挿入凹部１３から抜出ることが確実に防止される。なお、平板状ケーブル１０１を上方に変位させる力が外部から加えられた場合、前記力が耳部１３１及び掛止腕部２４ａを介して伝達され、カバー部材２１全体がハウジング１１に対して上方に変位させられることとなるが、下側方空間部１７ｂに挿入されている脚部２２の上端が固定部１７の連結部１７ｃの下端に当接することによって、カバー部材２１の上方への変位が規制される。したがって、このような場合でも、平板状ケーブル１０１が挿入凹部１３から抜出ることが確実に防止される。
【００５１】
さらに、掛止腕部２４ａが耳部１３１の後方側面１３１ａと当接するので、カバー部材２１及び後方側面１３１ａの導電層を介して、ケーブル接続用コネクタ１のグランドライン又は電源ラインは、基板のグランドライン又は電源ラインと導通する。したがって、静電気の発生が確実に防止される。
【００５２】
なお、ケーブル接続用コネクタ１と平板状ケーブル１０１との接続を解除する動作は、ケーブル接続用コネクタ１と平板状ケーブル１０１とを接続する動作と逆であるので、説明を省略する。
【００５３】
このように、本実施の形態において、ケーブル接続用コネクタ１は、両側縁から突出する耳部１３１を含む平板状ケーブル１０１の先端部分が挿入される挿入凹部１３を備えるハウジング１１と、ハウジング１１に装填され、平板状ケーブル１０１の導電線１５１と電気的に接続する端子５１と、ハウジング１１に取付けられた補助金具８１とを有し、平板状ケーブル１０１を接続する。そして、補助金具８１に回転可能に取付けられ、開位置と閉位置との間で姿勢変化するカバー部材２１を更に有し、カバー部材２１は掛止腕部２４ａを備え、掛止腕部２４ａは、カバー部材２１が開位置であるときには挿入凹部１３への平板状ケーブル１０１の先端部分の挿入を可能とし、カバー部材２１が閉位置であるときには耳部１３１を掛止して、挿入凹部１３からの平板状ケーブル１０１の先端部分の離脱を不能とし、ケーブル接続用コネクタ１は、平板状ケーブル１０１の先端部分の挿入方向が基板に対して垂直となるような姿勢で基板に実装される。
【００５４】
これにより、基板上において広い面積を専有することなく、容易にかつ確実に平板状ケーブル１０１を接続することができ、かつ、接続された平板状ケーブル１０１が離脱することがないので、信頼性を向上させることができる。
【００５５】
本実施の形態におけるケーブル接続用コネクタ１は、例えば、幅（左右の補助金具８１の端から端までの距離）が約５〔ｍｍ〕、高さ（基板に実装した状態での基板面からハウジング１１の上端１１ａまでの距離）が約２．３〔ｍｍ〕、厚さ（カバー部材２１が閉じた状態での基部２３から第２部１４ｂまでの距離）が約１．５〔ｍｍ〕である。したがって、前記ケーブル接続用コネクタ１が、図１、２等に示されるように、平板状ケーブル１０１の先端部分の挿入方向が基板に対して垂直となるような姿勢で基板に実装されていれば、基板を専有する面積は、ケーブル接続用コネクタ１の幅×厚さにほぼ等しく、比較的小さい値となるのに対して、仮に、平板状ケーブル１０１の先端部分の挿入方向が基板に対して平行となるような姿勢で基板に実装された状態を想像すると、基板を専有する面積は、ケーブル接続用コネクタ１の幅×高さにほぼ等しく、比較的大きな値となるであろうことが分かる。しかも、平板状ケーブル１０１を挿入凹部１３に挿入する際には、挿入凹部１３が開口している側にある程度の作業スペースが必要となるので、基板上のより広い面積が必要となるであろうことが分かる。
【００５６】
また、ハウジング１１は、挿入凹部１３を含む本体部１２と、本体部１２の側部１１ｃから外側に突出し、補助金具８１が取付けられる固定部１７とを備え、側部１１ｃには、挿入凹部１３と固定部１７及び側部１１ｃ間の上側方空間部１７ａとを連通する側方スリット１３ａが形成され、カバー部材２１が開位置であるときには、掛止腕部２４ａが上側方空間部１７ａの外に位置し、平板状ケーブル１０１の耳部１３１は、その外端が上側方空間部１７ａ内に突出した状態で側方スリット１３ａを通過可能であり、カバー部材２１が閉位置であるときには、掛止腕部２４ａが、上側方空間部１７ａ内に挿入され、挿入凹部１３内に先端部分が挿入された平板状ケーブル１０１の耳部１３１の上側方空間部１７ａ内に突出した部分を掛止する。したがって、カバー部材２１の姿勢を閉位置にすることによって、平板状ケーブル１０１の先端部が挿入凹部１３から抜出てしまうことを確実に防止することができる。
【００５７】
さらに、固定部１７は、連結部１７ｃを介して側部１１ｃに連結され、側方空間部は連結部１７ｃの上側及び下側の上側方空間部１７ａ及び下側方空間部１７ｂから成り、カバー部材２１は、下側方空間部１７ｂに挿入される脚部２２と、脚部２２の先端に接続された軸部２６であって、補助金具８１に形成された軸受部８６に挿入され、回転可能に保持される軸部２６とを備え、カバー部材２１が閉位置であるときには、掛止腕部２４ａが、上側方空間部１７ａ内に挿入される。したがって、平板状ケーブル１０１の先端部を挿入凹部１３から抜出す方向の力、すなわち、上方に向いた力が外部から付与されても、このような力は、カバー部材２１を介して、補助金具８１によって受止められるので、カバー部材２１が上方に変位してしまうことがなく、平板状ケーブル１０１の先端部が挿入凹部１３から抜出てしまうことを確実に防止することができる。
【００５８】
さらに、ハウジング１１の本体部１２は、挿入凹部１３及び側方スリット１３ａが開口する上端１１ａと、上端１１ａの反対側に位置し、基板と対向する下端１１ｂとを備え、固定部１７には、下端１１ｂの側に開口する金具収容凹部が形成され、補助金具８１は、基部８３と、基部８３の下端から折曲がって側方へ向けて延出するテール部８２と、基部８３の上端から上方へ向けて延出する一対の腕部８４と、腕部８４同士の間に形成された溝状の軸通過部８５と、軸通過部８５の下端に連続して形成された軸受部８６とを備え、カバー部材２１の脚部２２がハウジング１１の下側方空間部１７ｂに挿入された後、補助金具８１が、下端１１ｂの側から、金具収容凹部内に挿入されるように相対的に移動させられる際に、カバー部材２１の軸部２６が軸通過部８５を通って軸受部８６に挿入される。したがって、上方に向いた力が外部から付与されても、このような力は、カバー部材２１を介して、ハウジング１１によっても受止められるので、カバー部材２１が上方に変位してしまうことがなく、平板状ケーブル１０１の先端部が挿入凹部１３から抜出てしまうことをより確実に防止することができる。また、ハウジング１１、カバー部材２１及び補助金具８１を容易に結合してケーブル接続用コネクタ１を組立てることができる。
【００５９】
さらに、平板状ケーブル１０１の耳部１３１は導電層が形成された後方側面１３１ａを含み、カバー部材２１は金属から成り、カバー部材２１が閉位置であるときには、掛止腕部２４ａが耳部１３１の後方側面１３１ａに当接し、軸部２６が軸受部８６の周縁の少なくとも一部に接触する。したがって、平板状ケーブル１０１の導電層がカバー部材２１を介して、基板に接続された補助金具８１と導通するので、静電気の発生を効果的に防止することができる。
【００６０】
なお、本発明は前記実施の形態に限定されるものではなく、本発明の趣旨に基づいて種々変形させることが可能であり、それらを本発明の範囲から排除するものではない。
【産業上の利用可能性】
【００６１】
本発明は、コネクタに適用することができる。
【符号の説明】
【００６２】
１    ケーブル接続用コネクタ
１１、８１１    ハウジング
１１ａ    上端
１１ｂ    下端
１１ｃ    側部
１２    本体部
１２ａ    ストッパ部
１３    挿入凹部
１３ａ    側方スリット
１４ａ    第１部
１４ｂ    第２部
１６ａ    第１端子保持凹部
１６ｂ    第２端子保持凹部
１７    固定部
１７ａ    上側方空間部
１７ｂ    下側方空間部
１７ｃ    連結部
２１、８２１    カバー部材
２２    脚部
２３、５３、８３    基部
２４    ケーブル固定部
２４ａ    掛止腕部
２６    軸部
５１、８５１    端子
５２、８２    テール部
５４、８４    腕部
５４ａ    接触部
５５    ケーブル挿入部
８１    補助金具
８４ａ    固定用凸部
８５    軸通過部
８５ａ    幅広部
８５ｂ    幅狭部
８６    軸受部
１０１、９０１    平板状ケーブル
１０１ａ    先端
１３１、９３１    耳部
１３１ａ    後方側面
１３１ｂ    外端
１５１    導電線
８１１ａ    前面
８１３    凹部
８２２    ピン
８２３    回動軸
８２７    ロック部
９３０    補強板
９３２    貫通孔
９４１    フレキシブル基板
９５１    配線
【図１】
2014026765.tif 000003
【図２】
2014026765.tif 000004
【図３】
2014026765.tif 000005
【図４】
2014026765.tif 000006
【図５】
2014026765.tif 000007
【図６】
2014026765.tif 000008
【図７】
2014026765.tif 000009
【図８】
2014026765.tif 000010
【図９】
2014026765.tif 000011